(57)【要約】【課題】  電気機械用の導電性バーを提供する。【解決手段】  電気機械用の導電性バー１が、互いに絶縁され、２つの並列の積層４を画定する織り合わされた複数の導電性より線２を備える。導電性バー１の外面は、少なくとも部分的に非平坦である。【選択図】      図２
2011152036.tif 000002
【特許請求の範囲】
【請求項１】
互いに絶縁され、少なくとも２つの並列の積層（４）を画定する織り合わされた複数の導電性より線（２）を備える電気機械用の導電性バー（１）であって、前記導電性バー（１）の外面が少なくとも部分的に非平坦であることを特徴とする導電性バー（１）。
【請求項２】
前記非平坦な表面が、凸部（７）および／または凹部（８）によって画定されることを特徴とする請求項１に記載の導電性バー（１）。
【請求項３】
前記導電性バー（１）が、実質的に長方形の断面を有し、前記凸部（７）および／または凹部（８）が、前記導電性バー（１）の短辺（９）に画定されることを特徴とする請求項２に記載の導電性バー（１）。
【請求項４】
前記凸部（７）および／または凹部（８）が、前記導電性バー（１）の外面に塗布された被覆体によって画定されることを特徴とする請求項２に記載の導電性バー（１）。
【請求項５】
前記被覆体が、パテ（１１）によって画定されることを特徴とする請求項４に記載の導電性バー（１）。
【請求項６】
前記パテ（１１）が、波形の断面形状を画定することを特徴とする請求項５に記載の導電性バー（１）。
【請求項７】
前記パテ（１１）が、リブ（１２）を画定する、またはリブ（１２）を担持することを特徴とする請求項５に記載の導電性バー（１）。
【請求項８】
前記リブ（１２）が、前記導電性バー（１）の長手方向軸（１４）に垂直であることを特徴とする請求項７に記載の導電性バー（１）。
【請求項９】
前記リブ（１２）が、三角形断面を有することを特徴とする請求項８に記載の導電性バー（１）。
【請求項１０】
前記三角形断面が、二等辺三角形状（１２ａ）および／または鋸歯形状（１２ｂ、１２ｃ）を有することを特徴とする請求項９に記載の導電性バー（１）。
【請求項１１】
前記リブ（１２）の最高の高さが、前記導電性バー（１）の周りに巻き付けるマイカテープ（１６）の厚さの約２倍であることを特徴とする請求項１０に記載の導電性バー（１）。
【請求項１２】
前記パテ（１１）が、前記パテ（１１）の形状を再現する形状を有する導電性ストリップ（２０）によって覆われることを特徴とする請求項５に記載の導電性バー（１）。
【請求項１３】
前記導電性ストリップ（２０）が、層状構造を有することを特徴とする請求項１２に記載の導電性バー（１）。
【請求項１４】
前記パテ（１１）が、粒子（１５）の層で少なくとも部分的に覆われ、前記粒子（１５）が、好ましくは非導電性粒子であることを特徴とする請求項５に記載の導電性バー（１）。
【請求項１５】
前記パテ（１１）の周りに、樹脂を含浸されたマイカテープ（１６）からなる絶縁体が提供されることを特徴とする請求項１に記載の導電性バー（１）。
【発明の詳細な説明】
【技術分野】
【０００１】
本発明は、電気機械用の導電性バーに関する。特に、本発明は、定格電圧がＶｎ＞１０ｋＶの大型発電機など、回転電気機械に関する。
【背景技術】
【０００２】
導電性バーを画定するために互いに絶縁されて織り合わされた導電性の銅より線を備える、電気機械用、例えば固定子バー用の導電性バーが知られている。
【０００３】
さらに、この導電性バーの周りに主絶縁体が巻き付けられる。
【０００４】
主絶縁体は、導電性バーの周りに巻き付けられたマイカテープからなる複数の層によって画定される。電気を絶縁する固い主絶縁体を実現するために、マイカテープは絶縁性樹脂を含浸され、絶縁性樹脂が硬化される。
【０００５】
マイカテープは、裏当て材（例えばガラス繊維布）に（例えばビスフェノールＡ／Ｆ接着剤によって）結合されたマイカペーパーからなる。
【０００６】
導電性バーのより線を構成する銅と、マイカテープを構成するマイカとは異なる物理特性を有するので、熱サイクル中のそれらの挙動は異なる。この点で最も重要なのは、熱膨張率ＣＴＥである。
【０００７】
熱膨張率（ＣＴＥ）の差により、銅より線と絶縁体の界面に応力が発生し、これにより、最終的にはこれらの層の層間剥離が生じ、隙間が開くことがある。これらの隙間で部分放電が生じることがある。
【０００８】
部分放電は、主絶縁体の寿命に非常に悪影響があることが知られており、抑えられるべきである。
【０００９】
銅より線と絶縁体の間に隙間が生じることのさらなる欠点は、銅より線からの熱輸送が妨げられることである。
【発明の概要】
【発明が解決しようとする課題】
【００１０】
したがって、本発明の技術的な狙いは、上述した従来技術の問題をなくす導電性バーを提供することである。
【課題を解決するための手段】
【００１１】
この技術的な狙いの範囲内で、本発明の一態様は、主絶縁体の層間剥離が回避されるまたは大幅に低減されることができ、したがって部分放電も大幅に低減される導電性バーを提供することである。
【００１２】
本発明のさらなる態様は、動作中に銅より線から効率的に熱輸送を行う導電性バーを提供することである。
【００１３】
本発明によれば、この技術的な狙い、ならびにこれらおよびさらなる態様は、添付の特許請求の範囲による導電性バーを提供することによって達成される。
【００１４】
本発明のさらなる特徴および利点は、非限定的な例によって添付図面に図示される電気機械用の導電性バーの好ましい、しかし排他的でない実施形態の説明からより明らかになろう。
【図面の簡単な説明】
【００１５】
【図１】本発明の第１の実施形態における導電性バーの概略断面図である。
【図２】本発明の第１の実施形態における導電性バーの概略拡大長手方向断面図である。
【図３】本発明の第２の実施形態における導電性バーの概略断面図である。
【図４】図３の拡大図である。
【図５】本発明の第２の実施形態における導電性バーの概略拡大長手方向断面図である。
【図６】本発明の第３の実施形態における導電性バーの概略断面図である。
【図７】図６の拡大図である。
【図８】本発明のさらなる実施形態における導電性バーの概略長手方向断面図である。
【発明を実施するための形態】
【００１６】
図面を参照すると、これらの図面には、参照番号１によって全体を識別される導電性バーが示されている。
【００１７】
導電性バー１は、織り合わされた複数の導電性より線２を備え、導電性より線２は、絶縁体３によって互いに絶縁され、（図示される実施形態では）２つの並列の積層４を画定する。別の実施形態では、積層は、例えば４つなど異なる数でもよい。
【００１８】
導電性バー１の外面は、少なくとも部分的に非平坦である。
【００１９】
特に、非平坦な表面は、凸部７および／または凹部８によって画定される。
【００２０】
図面に示されるように、導電性バー１は、実質的に長方形の断面を有し、凸部７および／または凹部８は、その短辺９に画定される。
【００２１】
あるいは、非平坦な表面を導電性バー１の長辺１０に設けることもでき、あるいはまた短辺９と長辺１０の両方に設けることもできる。
【００２２】
凸部７および／または凹部８は、導電性バー１の外面に塗布された被覆体によって画定される。
【００２３】
典型的には、被覆体は、パテ１１によって画定される。
【００２４】
パテは、当技術分野でよく知られており、従来、上に巻き付けるマイカテープのための土台として平坦で均一な層を形成するために、導電性バーの短辺に塗り広げられる。
【００２５】
本発明の第１の実施形態（図１および図２）では、パテ１１は、波形の断面形状を画定する。
【００２６】
この特定の形状は、導電性バー１（例えばその短辺９）にパテ１１を塗布し、次いで、所要の形状を有するダイス（押し型）で押すことによって実現することができる。
【００２７】
あるいは、パテ１１は、リブ１２を画定することもあり、またはリブ１２を担持することもできる（図３、図４、および図５）。
【００２８】
リブ１２は、導電性バー１の長手方向軸１４に垂直であり、好ましくは三角形断面を有する。
【００２９】
三角形断面は、二等辺三角形状および／または鋸歯形状を有する。別の例では、導電性バー１は、二等辺三角形状１２ａのみ、または異なる向きを有する鋸歯形状１２ｂおよび１２ｃのみ、またはそれらの組合せを有するリブ１２を有することがある。
【００３０】
この場合、リブ１２の最高の高さ（すなわち、各リブ１２の底部からその頂部までの距離）は、導電性バー１の周りに巻き付けられるマイカテープの厚さの約２倍である。
【００３１】
特に、リブ１２の最高の高さは、１ミリメートル未満であり、好ましくは０．３〜０．７ミリメートルの間である。
【００３２】
さらに、パテ１１の上に、好ましくは層状構造を有する１つまたは複数の導電性ストリップ２０を提供することができる（図８）。
【００３３】
導電性ストリップ２０は、パテ１１の形状を再現する形状を有し、すなわちパテ１１の上に位置してパテ１１と連続的に接触し、したがって空隙（すなわちパテ１１と導電性ストリップ２０の間の気体または空気で充填された空所）が生成されない。
【００３４】
本発明のさらなる実施形態では、パテ１１は、好ましくは非導電性粒子１５の層で少なくとも部分的に覆われる（図６および図７）。
【００３５】
これらの粒子１５は、例えば砂、ガラス、鋼玉であり、粒径は０．５ミリメートル未満であり、好ましくは約０．２５〜０．４５ミリメートルである。
【００３６】
次いで、パテ１１を有する導電性バー１の周りにマイカテープ１６が巻き付けられて、１層または通常は複数の層を形成する。次いで、マイカテープ１６は、樹脂を含浸されて、硬化される。
【００３７】
硬化中、樹脂を含浸されたマイカテープ１６からなる絶縁体が形成されて、（パテ１１を介して）化学的に導電性バー１に結合される。さらに、絶縁体は、（パテの特定の断面形状を介して、および／またはパテの中に含まれる成分により）機械的にも導電性バー１に結合される。
【００３８】
実際、導電性バー１に塗布されるパテ１１は、導電性バー１と同じ変形耐性を有する。
【００３９】
これにより、（動作中に生じる熱サイクルにより）パテ１１がマイカテープ１６を伸ばし、したがってマイカテープ１６もまた、導電性バー１と同じ変形耐性を有する。
【００４０】
したがって、導電性バー１とマイカテープ１６が同じ（またはほぼ同じ）変形耐性を有するので、層間剥離が生じない。
【００４１】
当然、説明した特徴を互いに独立して提供することもできる。
【００４２】
実用上は、使用される材料および寸法は、要件および現況技術に従って自由に選択することができる。
【符号の説明】
【００４３】
１  導電性バー
２  導電性より線
３  絶縁体
４  積層
７  凸部
８  凹部
９  導電性バー１の短辺
１０  導電性バー１の長辺
１１  パテ
１２  リブ
１２ａ  リブ１２の二等辺三角形状
１２ｂ、１２ｃ  リブ１２の鋸歯形状
１４  導電性バー１の軸線
１５  粒子
１６  マイカテープ
２０  導電性ストリップ
【図１】
2011152036.tif 000003
【図２】
2011152036.tif 000004
【図３】
2011152036.tif 000005
【図４】
2011152036.tif 000006
【図５】
2011152036.tif 000007
【図６】
2011152036.tif 000008
【図７】
2011152036.tif 000009
【図８】
2011152036.tif 000010
【外国語明細書】
2011152036000001.pdf